(57)【要約】  装置は、ハウジングと、ハウジングにより規定される空間内に配置されるロックアセンブリと、を含む。ハウジングは、ハウジングを貫通して延びるホールを規定する。ロックアセンブリは、装置が細長い整形外科装置に沿って第１方向に摺動し、装置が細長い整形外科装置に沿って第１方向とは反対の第２方向に摺動することを防止するように構成される。
2017506526.tif 000002
【特許請求の範囲】
【請求項１】
貫通して延びるホールを規定するハウジングと、
前記ハウジングにより規定される空間内に配置されるロックアセンブリと、を含む装置であって、
前記ロックアセンブリは、前記装置が細長い整形外科装置に沿って第１方向に摺動し、前記装置が前記細長い整形外科装置に沿って第１方向とは反対の第２方向に摺動することを防止するように構成される、装置。
【請求項２】
前記ロックアセンブリは、
ハウジングにより規定される凹部内に配置される付勢機構と、
前記ハウジングにより規定されるスロット内に配置されるロッククランプと、を含み、前記ロッククランプは、前記ハウジングにピボット結合され、前記ハウジングにより規定されるホールを横切って延びる、請求項１に記載の装置。
【請求項３】
前記ロッククランプは、前記ハウジングに前記ロッククランプをクロスピニングするようにその中にピンを受容する第１ホールを規定する、請求項２に記載の装置。
【請求項４】
前記ロッククランプは、前記ハウジングにより規定されるホールと少なくとも部分的に整列されるように前記ロッククランプの本体に沿って位置される第２ホールを規定する、請求項３に記載の装置。
【請求項５】
前記付勢機構は、圧縮ばねを含む、請求項２に記載の装置。
【請求項６】
前記ハウジングは、
球形状を有する第１部と、
前記第１部と交差点で結合される第２部と、を含み、前記第２部は、前記交差点から離れて延びる中空の円筒状壁を含む、請求項１に記載の装置。
【請求項７】
請求項１に記載の複数の装置を含む、キット。
【請求項８】
少なくとも一つの整形外科装置をさらに含む、請求項７に記載のキット。
【請求項９】
患者の少なくとも一つの骨に細長い整形外科装置を挿入するステップと、
第１固定装置を前記細長い整形外科装置の長さに沿って摺動させ、前記第１固定装置のハウジングにより規定されるホール内に前記細長い整形外科装置を受容するステップと、を含む方法であって、前記第１固定装置は、前記ハウジングにより規定される空間内に配置されるロックアセンブリを含み、
前記第１固定装置のロックアセンブリは、前記第１固定装置が前記細長い整形外科装置に沿って第１方向に摺動し、前記第１固定装置が前記細長い整形外科装置に沿って前記第１方向とは反対の第２方向に摺動することを防止するように構成される、方法。
【請求項１０】
前記固定装置から延びる前記細長い整形外科装置の一部を除去するステップをさらに含む、請求項９に記載の方法。
【請求項１１】
前記第１固定装置のロックアセンブリは、
前記第１固定装置のハウジングにより規定される凹部内に配置される付勢機構と、
前記第１固定装置のハウジングにより規定されるスロット内に配置されるロッククランプと、を含み、前記ロッククランプは、前記第１固定装置のハウジングにピボット結合され、前記第１固定装置のハウジングにより規定されるホールを横切って延びる、請求項９に記載の方法。
【請求項１２】
前記細長い整形外科装置は、前記第１固定装置が前記細長い整形外科装置に沿って摺動するに伴い、前記第１固定装置のロッククランプにより規定されるホール内に受容される、請求項１１に記載の方法。
【請求項１３】
前記付勢機構は、前記第１固定装置が前記細長い整形外科装置に沿って第２方向に摺動することを防止するように、前記細長い整形外科装置が前記第１固定装置のロッククランプにより規定されるホール内に受容されるときに、前記ロッククランプの本体に対して圧迫する、請求項１２に記載の方法。
【請求項１４】
前記付勢機構は、圧縮ばねを含む、請求項１３に記載の方法。
【請求項１５】
前記患者の少なくとも一つの骨に前記細長い整形外科装置を挿入するステップは、前記細長い整形外科装置の先端が四肢から離脱するまで前記患者の四肢の複数の骨に前記細長い整形外科装置を挿入するステップを含む、請求項９に記載の方法。
【請求項１６】
第２固定装置を前記細長い整形外科装置の長さに沿って摺動させ、前記第２固定装置のハウジングにより規定されるホール内に前記細長い整形外科装置を受容するステップをさらに含む、請求項１５に記載の方法。
【請求項１７】
前記第２固定装置は、前記ハウジングにより規定される空間内に配置されるロックアセンブリを含み、前記第２固定装置のロックアセンブリは、前記第２固定装置が前記細長い整形外科装置に沿って第２方向に摺動し、前記第２固定装置が前記細長い整形外科装置に沿って前記第２方向とは反対の第１方向に摺動することを防止するように構成される、請求項１６に記載の方法。
【請求項１８】
前記第１固定装置のハウジングは、
球形状を有する第１部と、
前記第１部と交差点で結合される第２部と、を含み、前記第２部は、前記交差点から離れて延びる中空円筒状壁を含む、請求項９に記載の方法。
【請求項１９】
前記第１固定装置は、前記患者の四肢の一部が中空円筒状壁と接触するまで前記細長い整形外科装置に沿って摺動する、請求項１８に記載の方法。
【請求項２０】
前記四肢は、足指である、請求項１８に記載の方法。
【発明の詳細な説明】
【技術分野】
【０００１】
開示された装置、システム、キット、および方法は、整形外科固定に関する。より具体的には、開示された装置、システム、キット、および方法は、ｋ‐ワイヤおよび他の整形外科装置を組み合わせて使用する整形外科固定に関する。
【背景技術】
【０００２】
ヨーガンボール（Ｊｕｒｇａｎ´ｓ  ｂａｌｌｓ）は、槌状足指の治療によく使用される。これら従来の装置は、特定の位置にヨーガンボールを固定するためにセットスクリュー（ｓｅｔ  ｓｃｒｅｗ）を用いる。しかしながら、セットスクリューのセッティングは、手術の際に締結が困難であり得るセットスクリューを締めるために小さい道具の使用を要する。また、セットスクリューは、患者の移動に伴い経時的に緩みやすい。
【発明の概要】
【課題を解決するための手段】
【０００３】
一部の実施例において、装置は、ハウジングと、ハウジングにより規定される空間内に配置されるロックアセンブリと、を含む。ハウジングは、ハウジングを貫通して延びるホールを規定する。ロックアセンブリは、装置が細長い整形外科装置に沿って第１方向に摺動し、装置が細長い整形外科装置に沿って第１方向とは反対の第２方向に摺動することを防止するように構成される。
【０００４】
一部の実施例において、方法は、患者の少なくとも一つの骨に細長い整形外科装置を挿入するステップと、第１固定装置を細長い整形外科装置の長さに沿って摺動させて、第１固定装置のハウジングにより規定されるホール内に細長い整形外科装置を受容するステップと、を含む。第１固定装置は、ハウジングにより規定される空間内に配置されるロックアセンブリを含む。第１固定装置のロックアセンブリは、第１固定装置が細長い整形外科装置に沿って第１方向に摺動し、第１固定装置が細長い整形外科装置に沿って第１方向とは反対の第２方向に摺動することを防止するように構成される。
【図面の簡単な説明】
【０００５】
【図１】一部の実施例による細長い整形外科装置上に摺動する固定装置の等角図である。
【図２】固定装置と固定装置により規定されるホール内に部分的に配置される細長い整形外科装置の断面図である。
【図２Ａ】一部の実施例によるロッククランプの一例の側面図である。
【図２Ｂ】一部の実施例による図２Ａに示されているロッククランプの上面図である。
【図３】一部の実施例による細長い整形外科装置と締結される固定装置の断面図である。
【図４】一部の実施例による四肢の端部上に配置される固定装置の等角図である。
【図５】一部の実施例による四肢のいくつかの関節を横切って挿入される細長い固定装置とその上に配置される固定装置の断面図である
【図６】一部の実施例による細長い整形外科装置と締結される固定装置の等角断面図である。
【図７】一部の実施例による細長い整形外科装置上に配置される一対の固定装置‐一つは断面図で図示される‐の一例を示す。
【図８】図７に示されている実施例による固定装置との使用のためのロッククランプの側面図である。
【図９】一部の実施例による図８に示されているロッククランプの上面図である。
【発明を実施するための形態】
【０００６】
かかる例示的な実施例の記載は、別添の図面とともに理解するように意図されており、別添の図面は、全体の記述内容の一部分として見なすべきである。
【０００７】
開示された装置、システム、キット、および方法は、ｋ‐ワイヤおよび他の整形外科装置との使用のためのロック機構を提供する。一部の実施例において、開示されたシステムおよび関連方法は、指および足のような四肢の槌状足指または他の奇形または疾病の治療にｋ‐ワイヤとともに使用される。
【０００８】
固定装置１００の一例は図１〜図６に示されている。図１〜図６に図示されているように、装置１００は、交差点１１０でともに併合される第１部１０６および第２部１０８を有する本体１０４を有するハウジング１０２を含む。一部の実施例において、第１部１０６の形状は、一般的に球形状であり、第２部１０８の形状は、中空円筒状壁１１２が交差点１１０から離れて延びるという点でシンブル（ｔｈｉｍｂｌｅ）と類似している。本体１０４は、射出成形または更なる作製工程（例えば、３Ｄプリンティング）を含むが、これに制限されない任意の適切な手段により、ポリマー、金属、および／またはセラミック材料からなり得る。一部の実施例において、本体１０４は、モノリス（ｍｏｎｏｌｉｔｈ）であるが、本体１０４はまた、ともに接合される二つ以上の部品を含んでも良い。例えば、本体１０４が複数の部品を含む実施例において、部品は、接着剤を使用したり機械的手段により、例えば、いくつかの可能性のみを並べると、スナップフィットまたはバヨネット連結を使用することで接合され得る。
【０００９】
図２〜図６に最もよく示されるように、本体１０４は、ハウジング１０２のほぼ中心を貫通して延びるホール１１４を規定する。より具体的には、ホール１１４は、近位端部１１６から第１部１０６を貫通して延び、それは、第２部１０８により規定される空洞１１８を交差して連通される。以下でより詳細に説明されるように、ホール１１４は、ｋ‐ワイヤまたは他の整形外科装置をその中に摺動方式で受容できるようにサイズ設定される。一部の実施例において、空洞１１８は、以下でより詳細に説明されるように、開放近位端部１２０を貫通して、その中に足指、指、または他の身体の四肢の端部が嵌合され得るようにサイズ設定および構成される。
【００１０】
また、図２、図３、図５、および図６を参照すると、第１部１０６の内部１２２は、テーパスロット１２４と、スロット１２２と連通される凹部１２６と、を含む。スロット１２４は、ホール１１４を横切って延び、ホール１１４の縦軸に対して所定の角度でホール１１４と交差するように形成される。当業者により理解されるように、スロット１２２により規定される縦軸とホール１１４により規定される縦軸との角度は変更可能である。一部の実施例において、例えば、スロット１２４により規定される縦軸とホール１１４により規定される縦軸との角度は、ホール１１４内に受容されるワイヤの直径および以下に説明されるロッククランプ１３２により規定されるホール１４２の直径と関係がある。例えば、二つの直径の間の差の大きくなるほど角度がより大きくなる。凹部１２６は、様々な形態を取り得、スロット１２４から遠位に延びるように図２、図３、図５、および図６に図示される。以下でより詳細に説明されるように、凹部１２６は、その中に圧縮ばねのような付勢機構１３０を受容するようにサイズ設定および構成される。
【００１１】
図４に最もよく示されるように、他のホール１２８は、ロッククランプ１３２が延びる方向に垂直な方向に第１部１０６を貫通して延びる。図２、図３、図５、および図６に図示されているように、ホール１２６は、ホール１２６がホール１１４と交差しないように、ハウジング１０２の第１部１０６のほぼ中心からオフセットされる。一部の実施例において、ホール１２６は、その中にピンを受容するようにサイズ設定および構成される。
【００１２】
また、固定システム１００は、一部の実施例において、付勢機構１３０およびロッククランプ１３２を含むロックアセンブリを含む。図２Ａおよび図２Ｂに最もよく示されるように、ロッククランプ１３２は、固定端部１３６から自由端部１３８まで延びる細長い本体１３４を含む。一部の実施例において、細長い本体１３４は、厚さ寸法より大きいが、長さ（ｌｅｎｇｔｈ）寸法より小さい幅寸法を有しており、一対の離隔されたホール１４０，１４２を規定する。ホール１４０は、固定端部１３６に隣接して配置され、ハウジング１０２内にロッククランプ１３２をクロスピニングするためにその中にピンを受容するようにサイズ設定および構成される。ホール１４０が細長い本体１３４の幅寸法を横切って延びるように、ホール１４０は、第１側面１４４から第２側面１４６まで延びる。
【００１３】
ホール１４２は、ホール１４０から所定の距離を隔てて固定端部１３６に隣接して配置され、その中にｋ‐ワイヤまたは他の細長い整形外科装置を受容するようにサイズ設定および構成される。一部の実施例において、ホール１４２は、細長い本体１３４の長さ方向に対して非垂直角度で細長い本体１３４を貫通して延びる。しかしながら、当業者は、ホール１４２により規定される軸が細長い本体１３４の縦方向に対して垂直になるように、ホール１４２が細長い本体１３４を貫通して延び得ることを理解するであろう。図２Ａおよび図２Ｂに図示されているように、ホール１４２は、細長い本体１３４を貫通し、細長い本体１３４の幅寸法を横切って延びる。
【００１４】
装置１００は、ハウジング１０２の本体１０４により規定されるホール１２６に付勢機構１３０を配置させることで組み立てられ、ロッククランプ１３２は、ハウジング１０２の本体１０４により規定されるスロット１２２内に配置される。ピン１４８は、ハウジング１０２の本体１０４により規定されるホール１５０とロッククランプ１３２により規定されるホール１４０を整列させ、ホール１４０および１５０にピン１４８を挿入することによりスロット１２２内にロッククランプ１３２をクロスピニングするために使用される。
【００１５】
槌状足指の治療に関し、装置１００を使用する方法の一例は、図１〜図６を参照して説明される。しかしながら、当業者は、装置１００が、本明細書に提供されるように、槌状足指の治療以上の多数の外科的手順と関連して使用され得ることを理解するであろう。
【００１６】
ｋ‐ワイヤ、ピン、または他の細長い整形外科装置５０は、足指６０の遠位端部に挿入される。例えば、整形外科装置５０は、図２〜図３に図示されているように、近位指骨６２を貫通して内側指骨６４に挿入される。また、一部の実施例において、整形外科装置５０は、内側指骨６４と近位指骨６６との間の関節６８を横切って近位指骨６６に挿入される。
【００１７】
整形外科装置５０が足指６０に完全に挿入されると、装置１００が、図２〜図６における足指６０と接触して配置されるまで固定装置上に摺動する。例えば、整形外科装置５０の近位端部は、図２に最もよく示されるように、装置１００の第２部１０８により規定される空洞１１８内に形成されるホール１１４と整列される。装置１００は、近位方向に摺動し、結果、整形外科装置５０の近位端部がロッククランプ１３２と接触する。付勢機構１３０の力に耐えるのに十分な力が装置１００に加えられるときに、ロッククランプ１３２は、そのピボットポイントに対して、一部の実施例においてロッククランプ１３２に形成されるホール１４０により規定される中心軸に対してピボットされる。
【００１８】
ロッククランプ１３２は、固定装置がホール１４２内に受容されるように整形外科装置５０の近位端部がホール１４２と整列されるまでピボットされる。足指６０の先端７０が装置１００の第２部１０８により規定される空洞１１８内に受容されるまで装置１００が整形外科装置５０の長さに沿って摺動し装置１００の本体１０４と接触するように力が加えられ続ける。
【００１９】
装置１００が整形外科装置５０の長さに沿って位置されると、整形外科装置５０の余長、すなわち、装置の近位端部１１６でホール１１４から延びる整形外科装置５０の長さは、当業者により理解されるように、カッティングまたはスニッピング（ｓｎｉｐｐｉｎｇ）により除去可能である。装置１００は、付勢機構１３０がロッククランプ１３２を圧迫することにより装置１００が整形外科装置５０に沿う適所に保持されるように、足指６０の先端７０に対して圧縮を有効に加え続け、装置１００が近位に、すなわち、足指６０の先端７０から遠く移動することを防止することにより、整形外科装置５０に装置１００を効果的にロックする。
【００２０】
足指６０から整形外科装置５０を除去することが求められるときに、一部の実施例において、装置１００は、手術道具を使用して切断する。例えば、装置１００のハウジング１０２は、例えば、硬質プラスチックのような破裂性材料からなり得る。一部の実施例において、ハウジング１０２は、ハウジング１０２の切断を容易にする特定の領域またはラインを含む。一部の実施例において、ユーザがロッククランプ１３２と整形外科装置５０との摩擦を減少させることができるアンロック機構が提供される。例えば、アンロック機器は、ユーザがロッククランプ１３２と整形外科装置５０との締結を減少させるために、近位方向にロッククランプ１３２を引き、付勢機構１３０を圧縮できるようにピンまたはストリングを含み得る。
【００２１】
本明細書に開示される固定装置は、様々な形態を取り得る。例えば、図７〜図９は一部の実施例による固定装置２００の他の実施例を示す。図７に図示されているように、固定装置２００は、一般的な球形状の本体２０４を有するハウジング２０２を含む。一部の実施例において、本体２０４は、モノリスである。一部の実施例において、本体２０４は、例えば、接着剤または機械的結合などを使用することでともに接合される二つ以上の部品を含む。例えば、本体２０４が機械的結合を用いてともに連結される複数の部品を含む実施例において、結合は、いくつかの可能性のみを並べると、スナップフィットまたはバヨネット連結の一つであり得る。
【００２２】
一部の実施例において、本体２０４は、ハウジング２０２のほぼ中心を貫通して延びるホール２０６を規定する。以下でより詳細に説明されるように、ホール２０６は、その中にｋ‐ワイヤ、ピン、または他の整形外科装置を受容できるようにサイズ設定される。本体２０４は、テーパスロット２１０およびスロット２１０と連通される凹部２１２を含む内部２０８を有する。スロット２１０は、本体２０４を貫通して形成されるホール２０６と交差し、ホール２０６を横切って延びる。一部の実施例において、スロット２１０は、非垂直角度でホール２０６を横切って延びる。しかしながら、当業者は、スロット２１０が垂直角度を含む様々な角度でホール２０６を横切って延び得ることを理解するであろう。凹部２１２は、多数の断面幾何学的構造を有し得る。一部の実施例において、凹部２１２は、円形断面幾何学的構造を有し、その中にコイルばねの形態で付勢機構２１４を受容するようにサイズ設定および構成される。
【００２３】
ハウジング２０２は、本体２０４の中心からオフセットされる位置で本体２０４を貫通して延びる他のホール２１６を規定する。ホール２１６は、ホール２１６の縦軸がホール２０６により規定される縦軸とほぼ垂直になるように形成される。以下でより詳細に説明されるように、ホール２１６は、ハウジング２０４にロッククランプをクロスピニングするためのピンを受容するのに十分な直径を有する。
【００２４】
スロット２１０および凹部２１２は、その中に付勢機構２１８およびロッククランプ２２０を含むロックアセンブリを支持するようにサイズ設定および構成される。一部の実施例において、ロッククランプ２２０は図８および図９に最もよく示されるようにロッククランプ２２０が固定端部２２４で自由端部２２６まで延びる細長い本体２２２を有する点でロッククランプ１３２と類似している。一部の実施例において、ロッククランプ２２０の本体２２２は厚さ寸法より大幅寸法を有して、厚さ寸法および幅寸法二つともは長さに寸法より小さい。
【００２５】
また、図８および図９を参照すると、本体２２２は、固定端部２２４に隣接する第１ホール２２８を規定し、第２ホール２３０は、自由端部２３８にさらに近接する本体２２２の長さに沿って規定される。ホール２２８は、第１側面２３２から第２側面２３４まで本体２２２を貫通して幅方向に延びる。ホール２３０は、上部側面２３６から底部側面２３８まで延びる。一部の実施例において、ホール２３０は、上部側面２３６または底部側面２３８の一つにより規定される平面に対して非垂直角度で本体２２２を貫通して延びる。当業者は、ホール２３０が、上部側面２３６または底部側面２３８により規定される平面に対して垂直に本体を貫通して延び得ることを理解するであろう。
【００２６】
固定装置２００は、スロット２１０および凹部２１２により提供される内部空間にロックアセンブリを挿入することで組み立てられ得る。例えば、付勢機構２１４は、凹部２１２内に配置され、ロッククランプ２２０は、スロット２１０内に配置される。スロット２１０内にロッククランプ２２０を固定するために、ロッククランプ２２０の本体２２２により規定されるホール２２８は、ハウジング２０２の本体２０４により規定されるホール２１６と整列される。ホール２１６および２２８が整列されると、ハウジング２０２にロッククランプ２２０を固定するようにピン２３６がホール２１６および２２８に挿入される。
【００２７】
固定装置２００は、多数の方法で使用され得る。例えば、一部の実施例において、複数の固定装置２００は、図７に図示されているように、患者の身体の一部に圧縮を提供するために使用される。当業者は、下記の説明が、一つ以上の固定装置２００を使用する一つの可能な例のみを示すことを理解するであろう。
【００２８】
一部の実施例において、ｋ‐ワイヤ、ピン、または他の細長い整形外科装置５０は、一つ以上の骨を横切って挿入される。例えば、整形外科装置５０は、整形外科装置５０の少なくとも一部が、足、手、または四肢のいずれかに接続できるまで、患者の足、手、または他の四肢を横切り、すなわち内側‐外側方向に挿入され得る。
【００２９】
第１固定装置２００は、四肢の内側面から延びる部分のような整形外科装置５０の第１接続可能な部分に摺動する。一部の実施例において、装置２００のホール２０６は、整形外科装置５０と整列され、整形外科装置５０は、ホール２０６内に受容される。装置２００は、近位に、すなわち、四肢に向かって圧迫され、結果、整形外科装置５０の端部がロッククランプ２２０の側面２４０と接触する。ユーザは、ロッククランプ２２０が、そのピボットポイント、すなわち、ホール２２８により規定される中心軸に対してピボットされるように固定装置２００に力を加え続ける。ロッククランプ２２０がピボットされると、整形外科装置５０の端部は、ロッククランプ２２０により規定されるホール２３０内に整形外科装置５０の端部が受容されるまでロッククランプ２２０の側面２４０に沿って摺動する。
【００３０】
装置５０がホール２３０内に位置されると、ユーザは、固定装置２００の本体２０４が四肢と接触するまで整形外科装置５０に沿って固定装置２００を移動させ続ける。固定装置２００が固定装置５０の長さに沿って位置されて患者の四肢と接触すると、固定装置２００を越えて延びる整形外科装置５０の任意の一部は、当業者により理解されるように、カッティングまたはスニッピングにより除去され得る。
【００３１】
一部の実施例において、第２固定装置２００は、整形外科装置５０の反対の端部、すなわち、患者の四肢の外側面から延びる整形外科装置５０の端部上に配置される。第２固定装置２００が外側面上に配置される方式は、第１固定装置２００が内側面上に配置される方式と同様である。
【００３２】
複数の固定装置２００の使用は、比較的安価の部品を使用する圧縮固定システムを提供し有利である。ロックアセンブリの噛合作用、すなわち、付勢機構２１８とロッククランプ２２０の結合により、整形外科装置５０上において、固定装置２００は、患者の四肢に圧縮を提供し続ける。換言すれば、固定装置２００は、ユーザが整形外科装置５０に沿ってそれらを配置させる位置にロックされ、整形外科装置５０に沿って装置２００を配置させるときにユーザにより加えられる圧縮を保持する。
【００３３】
患者の四肢から整形外科装置５０を除去することが求められるときに、一部の実施例において、装置２００は、手術道具を使用して切断する。例えば、装置２００のハウジング２０２は、例えば、破裂性材料、例えば、剛直ポリマーでハウジング２０２を作製することで破裂可能になるように構成され得る。一部の実施例において、ハウジング２０２は、ハウジング２０２の切断を容易にする領域またはラインを含む。
【００３４】
さらにまたは代案的に、装置２００は、一部の実施例において、アンロック機構で構成される。例えば、アンロック機器は、ユーザが、ロッククランプ２２０と整形外科装置５０との摩擦を減少させることができるようにし、ロッククランプ２２０と整形外科装置５０との締結を減少させるために、ユーザが、ロッククランプ２００を近位方向に引き、付勢機構２１８を圧縮できるようにピンまたはストリングを含む。
【００３５】
固定装置１００，２００は、複数の他の固定装置１００，２００が、一つ以上の細長い整形外科装置を含む複数の他の装置とともに滅菌したパッケージに配置されるキットとしてともに包装され得る。一部の実施例において、キットは、多数の固定装置１００または固定装置２００のみを含み、単一の気密密封パッケージにともに提供されるものではない。
【００３６】
装置、システム、キット、および方法は、例示的な実施例について説明されているが、これに制限されない。むしろ、別添の請求項は、装置、システム、キット、および方法の均等物の範囲および領域から逸脱せず、当業者により行われ得る装置、システム、キット、および方法の他の変形例および実施例を含むように広範に解釈すべきである。
【図１】
2017506526.tif 000003
【図２】
2017506526.tif 000004
【図２Ａ】
2017506526.tif 000005
【図２Ｂ】
2017506526.tif 000006
【図３】
2017506526.tif 000007
【図４】
2017506526.tif 000008
【図５】
2017506526.tif 000009
【図６】
2017506526.tif 000010
【図７】
2017506526.tif 000011
【図８】
2017506526.tif 000012
【図９】
2017506526.tif 000013
【国際調査報告】
2017506526.tif 000014
2017506526.tif 000015
2017506526.tif 000016